(57)【要約】【課題】データ処理装置と分析装置とを一体化し、或いはデータ処理装置と分析装置とを個別の配置とすることが任意に変更可能な分析装置システム及びデータ処理装置用の架台を提供すること。【解決手段】分析装置２とデータ処理装置６とを備えた分析装置システム１は、分析装置２に形成した収容凹部２ｃへ引き出し自在に収容され、データ処理装置の演算処理部が配置される配置部４ａと、配置部に鉛直方向に設けられ、上方へ伸縮自在な支柱４ｄと、支柱の上端に一端が連結され、支柱の中心を軸として水平面内を回動するアーム４ｅと、アームの他端に水平面内を回動自在に支持され、データ処理装置の入力部６ｂ，６ｃ及び表示部６ｄが配置されるテーブル４ｇとを有するデータ処理装置用の架台４を備えている。【選択図】        図１
2008256524.tif 000002
【特許請求の範囲】
【請求項１】
検体と試薬とを反応させ、反応液の光学的特性を測定して前記反応液を分析する分析装置と、測定条件の入力、前記分析装置が測定した測定データの処理並びに測定結果の出力を行うデータ処理装置とを備えた分析装置システムにおいて、
前記分析装置に形成した収容凹部へ引き出し自在に収容され、前記データ処理装置の演算処理部が配置される配置部と、
前記配置部に鉛直方向に設けられ、上方へ伸縮自在な支柱と、
前記支柱の上端に一端が連結され、前記支柱の中心を軸として水平面内を回動するアームと、
前記アームの他端に水平面内を回動自在に支持され、前記データ処理装置の入力部及び表示部が配置されるテーブルと、
を有するデータ処理装置用の架台を備えたことを特徴とする分析装置システム。
【請求項２】
前記収容凹部は、前記分析装置の検体供給部の下部に形成されていることを特徴とする請求項１に記載の分析装置システム。
【請求項３】
前記配置部は、前面が開放された箱体状に成形され、内部に前記演算処理部が収容されると共に、上面に前記データ処理装置の出力装置が載置されることを特徴とする請求項１に記載の分析装置システム。
【請求項４】
前記配置部は、下面の四隅に、前記収容凹部からの引き出し及び収容を可能にするキャスタと、設置面からの高さを調節する調節部材とが設けられていることを特徴とする請求項１に記載の分析装置システム。
【請求項５】
分析装置において使用されるデータ処理装置用の架台であって、
前記分析装置に形成した収容凹部へ引き出し自在に収容され、前記データ処理装置の演算処理部が配置される配置部と、
前記配置部に鉛直方向に設けられ、上方へ伸縮自在な支柱と、
前記支柱の上端に一端が連結され、前記支柱の中心を軸として水平面内を回動するアームと、
前記アームの他端に水平面内を回動自在に支持され、前記データ処理装置の入力部及び表示部が配置されるテーブルと、
を備えたことを特徴とするデータ処理装置用の架台。
【請求項６】
前記配置部は、前記分析装置の検体供給部の下部に形成された収容凹部に引き出し自在に収容されることを特徴とする請求項５に記載のデータ処理装置用の架台。
【請求項７】
前記配置部は、前面が開放された箱体状に成形され、内部に前記演算処理部が収容されると共に、上面に前記データ処理装置の出力装置が載置されることを特徴とする請求項５に記載のデータ処理装置用の架台。
【請求項８】
前記配置部は、下面の四隅に、前記収容凹部からの引き出し及び収容を可能にするキャスタと、設置面からの高さを調節する調節部材とを備えることを特徴とする請求項５に記載のデータ処理装置用の架台。
【発明の詳細な説明】
【技術分野】
【０００１】
本発明は、分析装置システム及びデータ処理装置用の架台に関するものである。
【背景技術】
【０００２】
従来、血液や尿等の成分を分析する分析装置システムは、分析装置と、操作部と呼ばれ、測定条件の入力、分析機構部が測定した測定データの処理並びに測定結果の出力を行うデータ処理装置とを備えており、分析装置とデータ処理装置とが一体に構成されたものと（例えば、特許文献１参照）、分析装置とデータ処理装置とが個別に構成されて別置きとされたものが知られている（例えば、特許文献２参照）。
【０００３】
【特許文献１】特開平１０−２２７７９７号公報
【特許文献２】特開平１０−１１５６２０号公報
【発明の開示】
【発明が解決しようとする課題】
【０００４】
ところで、従来の分析装置システムは、分析装置とデータ処理装置とが一体構成か個別構成かのいずれか一方のみの構成に限定され、分析装置とデータ処理装置との配置を自由に変更することができないという問題があった。
【０００５】
本発明は、上記に鑑みてなされたものであって、データ処理装置と分析装置とを一体化し、或いはデータ処理装置と分析装置とを個別の配置とすることが任意に変更可能な分析装置システム及びデータ処理装置用の架台を提供することを目的とする。
【課題を解決するための手段】
【０００６】
上述した課題を解決し、目的を達成するために、請求項１に係る分析装置システムは、検体と試薬とを反応させ、反応液の光学的特性を測定して前記反応液を分析する分析装置と、測定条件の入力、前記分析装置が測定した測定データの処理並びに測定結果の出力を行うデータ処理装置とを備えた分析装置システムにおいて、前記分析装置に形成した収容凹部へ引き出し自在に収容され、前記データ処理装置の演算処理部が配置される配置部と、前記配置部に鉛直方向に設けられ、上方へ伸縮自在な支柱と、前記支柱の上端に一端が連結され、前記支柱の中心を軸として水平面内を回動するアームと、前記アームの他端に水平面内を回動自在に支持され、前記データ処理装置の入力部及び表示部が配置されるテーブルと、を有するデータ処理装置用の架台を備えたことを特徴とする。
【０００７】
また、請求項２に係る分析装置システムは、上記の発明において、前記収容凹部は、前記分析装置の検体供給部の下部に形成されていることを特徴とする。
【０００８】
また、請求項３に係る分析装置システムは、上記の発明において、前記配置部は、前面が開放された箱体状に成形され、内部に前記演算処理部が収容されると共に、上面に前記データ処理装置の出力装置が載置されることを特徴とする。
【０００９】
また、請求項４に係る分析装置システムは、上記の発明において、前記配置部は、下面の四隅に、前記収容凹部からの引き出し及び収容を可能にするキャスタと、設置面からの高さを調節する調節部材とが設けられていることを特徴とする。
【００１０】
また、上述した課題を解決し、目的を達成するために、請求項５に係るデータ処理装置用の架台は、分析装置において使用されるデータ処理装置用の架台であって、前記分析装置に形成した収容凹部へ引き出し自在に収容され、前記データ処理装置の演算処理部が配置される配置部と、前記配置部に鉛直方向に設けられ、上方へ伸縮自在な支柱と、前記支柱の上端に一端が連結され、前記支柱の中心を軸として水平面内を回動するアームと、前記アームの他端に水平面内を回動自在に支持され、前記データ処理装置の入力部及び表示部が配置されるテーブルと、を備えたことを特徴とする。
【００１１】
また、請求項６に係るデータ処理装置用の架台は、上記の発明において、前記配置部は、前記分析装置の検体供給部の下部に形成された収容凹部に引き出し自在に収容されることを特徴とする。
【００１２】
また、請求項７に係るデータ処理装置用の架台は、上記の発明において、前記配置部は、前面が開放された箱体状に成形され、内部に前記演算処理部が収容されると共に、上面に前記データ処理装置の出力装置が載置されることを特徴とする。
【００１３】
また、請求項８に係るデータ処理装置用の架台は、上記の発明において、前記配置部は、下面の四隅に、前記収容凹部からの引き出し及び収容を可能にするキャスタと、設置面からの高さを調節する調節部材とを備えることを特徴とする。
【発明の効果】
【００１４】
本発明の分析装置システムは、データ処理装置用の架台を備え、本発明のデータ処理装置用の架台は、分析装置に形成した収容凹部へ引き出し自在に収容される配置部と、配置部に鉛直方向に設けられ、上方へ伸縮自在な支柱と、支柱の上端に一端が連結され、支柱の中心を軸として水平面内を回動するアームと、アームの他端に水平面内を回動自在に支持され、データ処理装置の入力装置及び表示装置が配置されるテーブルとを有しているので、配置部を分析装置の収容凹部へ収容すれば、データ処理装置を分析装置と一体化することができ、配置部を分析装置の収容凹部から引き出せば、データ処理装置と分析装置とを個別の配置とすることができ、データ処理装置と分析装置との配置を任意に変更することができるという効果を奏する。
【発明を実施するための最良の形態】
【００１５】
（実施の形態１）
以下、図面を参照して本発明の分析装置システム及びデータ処理装置用の架台に係る実施の形態１を詳細に説明する。図１は、実施の形態１に係るデータ処理装置用の架台の配置部を分析装置の収容凹部へ収容してデータ処理装置を分析装置と一体化した実施の形態１の分析装置システムの斜視図である。図２は、実施の形態１のデータ処理装置用の架台を示す正面図である。図３は、図２示すデータ処理装置用の架台の右側面図である。図４は、図２示すデータ処理装置用の架台の平面図である。
【００１６】
分析装置システム１は、図１に示すように、分析装置２と、架台４と、データ処理装置６とを備えている。ここで、本明細書案に添付した図面は、部材相互の配置を明示することを優先しており、寸法や縮尺等は必ずしも正確ではない。
【００１７】
分析装置２は、図１に示すように、検体と試薬とを反応させ、反応液の光学的特性を測定して反応液を分析する分析部２ａと検体供給部２ｂとを備えており、検体供給部２ｂの下部には右側面に開口する収容凹部２ｃが形成されている。ここで、検体は、検体容器に収容され、複数の検体容器をラックに保持して検体供給部２ｂに供給する。このとき、検体供給部２ｂは、上面の蓋２ｄを開いてラックを供給すると、分析部２ａの反応容器に検体が各検体容器から順次分注される。そして、検体が分注された各反応容器は、分析部２ａにおいて試薬容器から試薬が分注されて検体と反応し、反応液の光学的特性を測定して検体に含まれる特定物質の成分濃度が分析される。
【００１８】
架台４は、データ処理装置６を設置する台であり、図２〜図４に示すように、配置部４ａと、支柱４ｄと、アーム４ｅと、テーブル４ｇとを有しており、分析装置システム１を操作する操作者が居る頻度の高い検体供給部２ｂの近傍に配置すると作業効率がよい。
【００１９】
配置部４ａは、下面の四隅に、収容凹部２ｃからの引き出し及び収容を可能にするキャスタ４ｂと、設置面からの高さを調節するアジャスタ４ｃとが設けられ、キャスタ４ｂを利用して収容凹部２ｃへ引き出し自在に収容される。配置部４ａは、前面が開放された箱体状に成形され、内部にデータ処理装置６のパソコン６ａが収容されている。ここで、配置部４ａは、背面に形成した凹部に電源タップＴが複数設けられている（図４参照）。支柱４ｄは、配置部４ａの右側面に鉛直方向に設けられるテレスコピックシリンダ状の支柱であり、図２及び図３に矢印で示すように、上方へ伸縮される。アーム４ｅは、支柱４ｄの上端に回転機構４ｆを介して一端が連結され、支柱４ｄの中心を軸として水平面内を回動する。テーブル４ｇは、アーム４ｅの他端に回転機構４ｈを介して水平面内を図４に矢印Ａで示す左右方向に回動自在に支持され、データ処理装置６のマウス６ｃ及び液晶モニタ６ｄが配置される。テーブル４ｇは、前縁部に取手４ｉが取り付けられている。
【００２０】
なお、支柱４ｄは、フック４ｊが固定され、フック４ｊには、検体容器や試薬容器に付した情報記録媒体に記録された検体情報や試薬情報を読み取る読取装置５が掛けられている。また、架台４は、配置部４ａを分析装置２の収容凹部２ｃに収容した際には、ボルトや締結金具等、適宜の固定手段により、配置部４ａ或いは支柱４ｄを分析装置２のフレームに固定してもよい。
【００２１】
データ処理装置６は、測定条件の入力、分析装置２が測定した測定データの処理並びに測定結果の出力を行うもので、図２〜図４に示すように、演算処理部としてのパソコン６ａ（図２参照）、入力部としてのキーボード６ｂとマウス６ｃ及び表示部としての液晶モニタ６ｄを備えている。パソコン６ａは、横置きにして配置部４ａに収容され、ハブ６ｅや外付けハードディスクドライブ（ＨＤＤ）６ｆ等が上部に設置されている。液晶モニタ６ｄは、テーブル４ｇに設置した支持部４ｋに一端が連結されモニタアーム４ｍの他端に回動自在に支持されている。この結果、液晶モニタ６ｄは、モニタアーム４ｍの他端を中心として、図３に矢印Ｂで示す上下方向に回動されると共に、水平面内を図４に矢印Ｃで示す左右方向に回動される。また、液晶モニタ６ｄは、支持部４ｋを中心として矢印Ｄ方向に回動するモニタアーム４ｍによって上下方向に回動される。
【００２２】
以上のように構成される分析装置システム１は、図１に示したように、データ処理装置６を設置した架台４の配置部４ａを分析装置２の収容凹部２ｃに収容すれば、分析装置２とデータ処理装置６とを一体化することができるうえ、占有面積を最小に抑えることができる。ここで、配置部４ａを収容凹部２ｃに収容する際、アーム４ｅが分析装置２の検体供給部２ｂ上面と接触する場合には、分析装置システム１は、支柱４ｄを上方へ伸ばせば、アーム４ｅと検体供給部２ｂ上面との接触を回避して配置部４ａを収容凹部２ｃに収容することができる。そして、分析装置システム１は、必要に応じてキャスタ４ｂによって配置部４ａを収容凹部２ｃから側方へ引出し、図５に示すように、分析装置２の側部へ配置すると、分析装置２とデータ処理装置６とを別置きとして使用することもできる。従って、分析装置システム１は、データ処理装置６を設置する架台４を使用することにより、分析装置２とデータ処理装置６との配置を自由に変更することができ、操作者の使用上の自由度が増す。
【００２３】
このとき、架台４は、図２に示すように、テーブル４ｇの位置を支柱に対して右側又は左側のいずれにも配置することができるうえ、アーム４ｅの両端に回転機構４ｆ，４ｈが配置されているので、テーブル４ｇの位置を変えてもテーブル４ｇ上に設置した液晶モニタ６ｄの向きを常に一定の向き、例えば、図１に示す前面側に保持することができる。このため、分析装置システム１は、テーブル４ｇの位置を変更しても、データ処理装置６の配線が複雑に絡み合うことを避けることができるという利点がある。
【００２４】
なお、図２に示す架台４は、データ処理装置６の演算処理部としてのパソコン６ａを配置部４ａ内に収容したが、配置部４ａをパソコン６ａと共に分析装置２の収容凹部２ｃに収容することができれば、パソコン６ａを配置部４ａ上に配置してもよい。また、収容凹部２ｃから配置部４ａを引き出した状態で使用するのであれば、架台４は、支柱４ｄを上方へ伸ばしてテーブル４ｇの高さを適宜調整することにより、パソコン６ａを配置部４ａ上に縦置きにして配置してもよい。
【００２５】
（実施の形態２）
次に、図面を参照して本発明の分析装置システム及びデータ処理装置用の架台に係る実施の形態２を詳細に説明する。実施の形態１のデータ処理装置用の架台は、支柱が配置部の側面に設けられていた。これに対し、実施の形態２のデータ処理装置用の架台は、支柱が配置部の背面に設けられている。ここで、実施の形態２の分析装置システムは、架台の支柱を配置部の背面に設けたことによって分析装置２に形成される収容凹部２ｃの位置が異なるだけで、実施の形態１の分析装置システムと構成が同一であるので、同一構成部分には同一の符号を付している。
【００２６】
図６は、実施の形態２に係るデータ処理装置用の架台の配置部を分析装置の収容凹部へ収容してデータ処理装置を分析装置と一体化した実施の形態２の分析装置システムの斜視図である。図７は、実施の形態２のデータ処理装置用の架台を示す正面図である。図８は、図７示すデータ処理装置用の架台の右側面図である。図９は、図７示すデータ処理装置用の架台の平面図である。
【００２７】
実施の形態２の分析装置システム１０は、図６に示すように、実施の形態１の分析装置システム１が備えていた架台４に代えて架台８を備えており、分析装置２の検体供給部２ｂ背面に開放する収容凹部へ引き出し自在に収容されている。
【００２８】
架台８は、図７〜図９に示すように、配置部８ａと、支柱８ｄと、アーム８ｅと、テーブル８ｇとを有している。
【００２９】
配置部８ａは、下面の四隅に、分析装置２の背面側に形成した収容凹部からの引き出し及び収容を可能にするキャスタ８ｂと、設置面からの高さを調節するアジャスタ８ｃとが設けられ、キャスタ８ｂを利用して収容凹部へ引き出し自在に収容される。配置部８ａは、前面が開放された箱体状に成形され、内部にデータ処理装置６のパソコン６ａが収容されている。ここで、配置部８ａは、左後部上面に電源タップＴが複数設けられ（図９参照）、上面にデータ処理装置６の出力装置、例えば、モノクロのレーザプリンタ６ｇが載置されている。支柱８ｄは、配置部８ａの背面に鉛直方向に設けられるテレスコピックシリンダ状の支柱であり、図８に矢印で示すように、上方へ伸縮される。アーム８ｅは、支柱８ｄの上端に回転機構８ｆを介して一端が連結され、支柱８ｄの中心を軸として水平面内を回動する。テーブル８ｇは、アーム８ｅの他端に回転機構８ｈを介して水平面内を図９に矢印Ｅで示す左右方向に回動自在に支持され、データ処理装置６のマウス６ｃ及び液晶モニタ６ｄが配置される。テーブル８ｇは、前縁部に取手８ｉが取り付けられている。そして、液晶モニタ６ｄは、支持部８ｋを中心として矢印Ｄ方向に回動するモニタアーム８ｍによって上下方向に回動される。
【００３０】
なお、テーブル８ｇは、右側面にフック８ｊが固定され、フック８ｊには、検体容器や試薬容器に付した情報記録媒体に記録された検体情報や試薬情報を読み取る読取装置５が掛けられている。また、架台８は、配置部８ａを分析装置２の収容凹部２ｃに収容した際には、ボルトや締結金具等、適宜の固定手段により、配置部８ａ或いは支柱８ｄを分析装置２のフレームに固定してもよい。
【００３１】
以上のように構成される分析装置システム１０は、図６に示したように、データ処理装置６を設置した架台８の配置部８ａを分析装置２の背面に開放する収容凹部に収容すれば、分析装置２とデータ処理装置６とを一体化することができるうえ、占有面積を最小に抑えることができる。ここで、配置部８ａを収容凹部に収容する際、アーム８ｅが分析装置２の検体供給部２ｂ上面と接触する場合には、分析装置システム１０は、支柱８ｄを上方へ伸ばせば、アーム８ｅと検体供給部２ｂ上面との接触を回避して配置部８ａを収容凹部に収容することができる。そして、分析装置システム１０は、必要に応じてキャスタ８ｂによって配置部８ａを収容凹部から引出し、図１０に示すように、分析装置２の側部へ配置すると、分析装置２とデータ処理装置６とを別置きとして使用することもできる。従って、分析装置システム１０は、データ処理装置６を設置する架台８を使用することにより、分析装置２とデータ処理装置６との配置を自由に変更することができる。
【００３２】
ここで、データ処理装置６のプリンタが、例えば、カラーレーザプリンタのようにサイズが大きくなった場合、分析装置システム１０は、図１１に示すように、支柱８ｄを上方へ伸ばしてテーブル８ｇの高さを調整することにより、大型のプリンタ６ｈを配置部８ａ上に配置することができる。
【００３３】
なお、分析装置システム１，１０で使用する分析装置２は、例えば、図１２に示すように、検体供給部２ｂの側面及び背面に開放するように収容凹部２ｃを形成すると、配置部８ａを背面側のみならず側面側からも出し入れすることができようになり、架台８が一層使い易くなる。
【００３４】
また、箱体状に成形される配置部は、前面が開放されたものについて説明したが、データ処理装置用の架台の使用態様によっては、側面や背面が開放されていてもよい。更に、配置部は、収容凹部に引き出し自在に収容することができれば、箱体状の他、分析装置の設計によって形状が変化する収容凹部の形に応じて種々の形状としてよい。
【図面の簡単な説明】
【００３５】
【図１】実施の形態１に係るデータ処理装置用の架台の配置部を分析装置の収容凹部へ収容してデータ処理装置を分析装置と一体化した実施の形態１の分析装置システムの斜視図である。
【図２】実施の形態１のデータ処理装置用の架台を示す正面図である。
【図３】図２示すデータ処理装置用の架台の右側面図である。
【図４】図２示すデータ処理装置用の架台の平面図である。
【図５】実施の形態１のデータ処理装置用の架台の配置部を分析装置の収容凹部から引き出し、分析装置とデータ処理装置とを別置きとした状態を示す斜視図である。
【図６】実施の形態２に係るデータ処理装置用の架台の配置部を分析装置の収容凹部へ収容してデータ処理装置を分析装置と一体化した実施の形態２の分析装置システムの斜視図である。
【図７】実施の形態２のデータ処理装置用の架台を示す正面図である。
【図８】図７示すデータ処理装置用の架台の右側面図である。
【図９】図７示すデータ処理装置用の架台の平面図である。
【図１０】実施の形態２のデータ処理装置用の架台の配置部を分析装置の収容凹部から引き出し、分析装置とデータ処理装置とを別置きとした状態を示す斜視図である。
【図１１】支柱を上方へ伸ばしてテーブルの高さを調整することにより、大型のプリンタを配置部上に配置した状態を示すデータ処理装置用の架台の右側面図である。
【図１２】実施の形態２の分析装置システムで使用する分析装置の変形例を示す斜視図である。
【符号の説明】
【００３６】
１                分析装置システム
２                分析装置
２ａ              分析部
２ｂ              検体供給部
２ｃ              収容凹部
２ｄ              蓋
４，８            架台
４ａ，８ａ        配置部
４ｂ，８ｂ        キャスタ
４ｃ，８ｃ        アジャスタ
４ｄ，８ｄ        支柱
４ｅ，８ｅ        アーム
４ｆ，８ｆ        回転機構
４ｈ，８ｈ        回転機構
４ｇ，８ｇ        テーブル
４ｉ，８ｉ        取手
４ｊ，８ｊ        フック
４ｋ，８ｋ        支持部
４ｍ，８ｍ        モニタアーム
５                読取装置
６                データ処理装置
６ａ              パソコン
６ｂ              キーボード
６ｃ              マウス
６ｄ              液晶モニタ
６ｅ              ハブ
６ｆ              外付けハードディスクドライブ
６ｇ，６ｈ        プリンタ
１０              分析装置システム
【図１】
2008256524.tif 000003
【図２】
2008256524.tif 000004
【図３】
2008256524.tif 000005
【図４】
2008256524.tif 000006
【図５】
2008256524.tif 000007
【図６】
2008256524.tif 000008
【図７】
2008256524.tif 000009
【図８】
2008256524.tif 000010
【図９】
2008256524.tif 000011
【図１０】
2008256524.tif 000012
【図１１】
2008256524.tif 000013
【図１２】
2008256524.tif 000014